(57)【特許請求の範囲】
【請求項１】
有線伝送システムに接続するインタフェースと、
前記有線伝送システムを含む通信ネットワーク経由で移動通信ネットワークの基地局装置とセッションを確立する確立手段と、
前記基地局装置にオフロード用ベアラの設定を要求する要求手段と、
前記基地局装置経由で、前記移動通信ネットワークのコア・ネットワーク以外のネットワークと接続する装置に至る前記オフロード用のベアラを前記セッション上に設定する設定手段と、
を備えており、
前記要求手段は、前記基地局装置に前記オフロード用ベアラの設定を要求する際に、前記有線伝送システムに接続していることを示す情報を前記基地局装置に送信する、
ことを特徴とする通信装置。
【請求項２】
前記有線伝送システムに接続していることを示す情報は、前記有線伝送システムが前記通信装置を認証するために使用する情報である、
ことを特徴とする請求項１に記載の通信装置。
【請求項３】
前記設定する手段は、前記基地局装置経由で前記移動通信ネットワークのコア・ネットワークに至るベアラを、前記確立手段が確立する前記基地局装置とのセッション上に設定し、
前記セッションと前記ベアラは１対１に対応する、
ことを特徴とする請求項２に記載の通信装置。
【請求項４】
コア・ネットワークを含む移動通信ネットワークの基地局装置であって、
通信ネットワークに接続するインタフェースと、
前記通信ネットワーク経由で通信装置とセッションを確立する確立手段と、
前記通信装置から前記移動通信ネットワークのコア・ネットワーク以外のネットワークに接続する装置に至るオフロード用のベアラの設定要求を受信すると、前記オフロード用のベアラを、前記セッション上に設定する設定手段と、
を備えており、
前記設定手段は、前記オフロード用のベアラの設定要求の際に、前記通信装置が有線伝送システムに接続していることを示す情報を受信すると、前記オフロード用のベアラの設定を前記移動通信ネットワークのコア・ネットワークに通知しない、
ことを特徴とする基地局装置。
【請求項５】
前記有線伝送システムに接続していることを示す情報は、前記有線伝送システムが前記通信装置を認証するために使用する情報である、
ことを特徴とする請求項４に記載の基地局装置。
【請求項６】
前記通信装置から受信する前記通信装置を認証するために使用する情報を、前記有線伝送システム又は前記有線伝送システムが使用する認証装置に送信して、前記通信装置が前記有線伝送システムに接続していることを確認する手段をさらに備えている、
ことを特徴とする請求項５に記載の基地局装置。
【発明の詳細な説明】
【技術分野】
【０００１】
本発明は、移動通信ネットワークの基地局装置と、該基地局装置に接続する通信装置に関する。
【背景技術】
【０００２】
３ＧＰＰ等の標準化団体が規定する各種標準に従う移動通信ネットワークは、基地局装置を含むアクセス・ネットワークと、移動無線端末を管理し、信号のルーティングを行うコア・ネットワークとを含んでいる。移動無線端末は、基地局装置と無線により通信し、基地局装置経由でコア・ネットワークのノード装置との間でベアラを設定し、このベアラを使用して情報の送受信を行う。また、移動通信ネットワークは、移動無線端末のデータ・ベースを有し、データ・ベースに登録された移動無線端末にのみサービス提供を行う。なお、移動通信ネットワークのデータ・ベースに登録される移動無線端末は、移動通信事業者と契約したユーザが所持する端末である。
【０００３】
特許文献１は、インターネット等のＩＰネットワーク経由で、移動通信ネットワークのコア・ネットワークのノード装置に接続するフェムト・セル・アクセス・ポイントを開示している。また、非特許文献１は、フェムト・セル・アクセス・ポイントが、移動無線端末に対して、コア・ネットワークへのアクセスに加えて、コア・ネットワークを経由しない他のネットワークへのアクセス（オフロード）、例えば、インターネット・アクセスを提供するための構成を開示している。具体的には、フェムト・セル・アクセス・ポイントとローカル・ゲートウェイ（Ｌ−ＧＷ）を接続し、オフロード用のベアラを、移動無線端末とＬ−ＧＷ間で設定して、オフロードさせるトラフィックをＬ−ＧＷがインターネット等の他のネットワークと送受信するというものである。
【先行技術文献】
【特許文献】
【０００４】
【特許文献１】特表２０１１−５２３２５１号公報
【非特許文献】
【０００５】
【非特許文献１】３ＧＰＰ  ＴＲ２３．８２９、"Ｌｏｃａｌ  ＩＰ  Ａｃｃｅｓｓ  ａｎｄ  Ｓｅｌｅｃｔｅｄ  ＩＰ  Ｔｒａｆｆｉｃ  Ｏｆｆｌｏａｄ  （ＬＩＰＡ−ＳＩＰＴＯ）"，Ｖ１０．０．１，２０１１年１０月
【発明の概要】
【発明が解決しようとする課題】
【０００６】
フェムト・セル・アクセス・ポイントは、ハンドオーバ制御や、コア・ネットワークに接続するための認証処理等の複雑な処理を行わなければならず、さらに、コア・ネットワークにもフェムト・セル・アクセス・ポイントとの接続に関する処理を行う装置を設けなければならず高価である。また、フェムト・セル・アクセス・ポイントは、移動通信ネットワークの基地局と同じ無線インタフェースにより、移動通信ネットワークのデータ・ベースに登録されている移動無線端末にサービス提供を行うのみである。
【０００７】
また、ＬＴＥ（Ｌｏｎｇ  Ｔｅｒｍ  Ｅｖｏｌｕｔｉｏｎ）に準拠した移動通信ネットワークは、移動無線端末が移動通信ネットワークにアタッチしている間、当該移動無線端末に対する少なくとも１つのＥＰＳベアラを維持する。しかしながら、不要な無線リソースの消費や移動無線端末の電力消費を抑えるため、トラフィックが無ければ、ベアラのうちのコア・ネットワーク内部の区間のみを維持し、それ以外の部分、つまり、移動無線端末から基地局経由でコア・ネットワークに至るまでの区間についてのリソースは解放する。したがって、コア・ネットワークは、ベアラにより送受すべき情報が発生するたびに、解放している区間の再設定や、再解放のための制御信号を基地局装置や、フェムト・セル・アクセス・ポイントや、Ｌ−ＧＷに送信しなければならない。
【０００８】
本発明は、例えば、家庭内といったある領域にある端末に、移動通信ネットワークのコア・ネットワーク又はオフロード接続を提供し、かつ、オフロード接続に対するコア・ネットワークの管理負荷を低減させる通信装置及び基地局装置を提供するものである。
【課題を解決するための手段】
【０００９】
本発明の一側面によると、有線伝送システムに接続するインタフェースと、前記有線伝送システムを含む通信ネットワーク経由で移動通信ネットワークの基地局装置とセッションを確立する確立手段と、前記基地局装置にオフロード用ベアラの設定を要求する要求手段と、前記基地局装置経由で、前記移動通信ネットワークのコア・ネットワーク以外のネットワークと接続する装置に至る前記オフロード用のベアラを前記セッション上に設定する設定手段と、を備えており、前記要求手段は、前記基地局装置に前記オフロード用ベアラの設定を要求する際に、前記有線伝送システムに接続していることを示す情報を前記基地局装置に送信する、ことを特徴とする。
【００１０】
本発明の一側面によると、コア・ネットワークを含む移動通信ネットワークの基地局装置であって、通信ネットワークに接続するインタフェースと、前記通信ネットワーク経由で通信装置とセッションを確立する確立手段と、前記通信装置から前記移動通信ネットワークのコア・ネットワーク以外のネットワークに接続する装置に至るオフロード用のベアラの設定要求を受信すると、前記オフロード用のベアラを、前記セッション上に設定する設定手段と、を備えており、前記設定手段は、前記オフロード用のベアラの設定要求の際に、前記通信装置が有線伝送システムに接続していることを示す情報を受信すると、前記オフロード用のベアラの設定を前記移動通信ネットワークのコア・ネットワークに通知しない、ことを特徴とする。
【発明の効果】
【００１１】
オフロード接続を設定し、かつ、オフロード接続に対するコア・ネットワークの管理負荷を低減させることができる。
【図面の簡単な説明】
【００１２】
【図１】一実施形態によるネットワーク全体の構成図。
【図２】一実施形態による通信装置と基地局装置間のプロトコル構成図。
【図３】一実施形態による通信装置に対するベアラ確立のシーケンス図。
【図４】一実施形態によるパケット・ヘッダの使用方法を示す図。
【発明を実施するための形態】
【００１３】
以下、本発明の例示的な実施形態について図面を参照して説明する。なお、以下の各図においては、実施形態の説明に必要ではない構成要素については図から省略する。
【００１４】
図１は、本実施形態によるネットワークの構成図である。図１において、基地局装置２とコア・ネットワーク５は、移動通信事業者が提供する、３ＧＰＰ等の標準化団体が規定する各種標準に従う移動通信ネットワークである。また、移動無線端末３は、当該移動通信事業者又は当該移動通信事業者の移動通信ネットワークを利用できる他の移動通信事業者に加入している加入者の端末であり、図１の移動通信ネットワークに無線により接続可能である。なお、以下の説明において、基地局装置２は、ＬＴＥ標準に準拠したｅＮＢであり、コア・ネットワーク５も、所謂、ＥＰＣ（Ｅｖｏｌｖｅｄ  Ｐａｃｋｅｔ  Ｃｏｒｅ）であるものとして説明を行うが、本発明は他の規格に従う移動通信ネットワークに対しても適用可能である。
【００１５】
移動無線端末３は、所謂、スマートフォン等の携帯電話であり、例えば、電源投入後に、移動通信ネットワークに対してアタッチ処理を行い、ＥＰＳ（Ｅｖｏｌｖｅｄ  Ｐａｃｋｅｔ  Ｓｙｓｔｅｍ）ベアラである基本ベアラを基地局装置２経由でコア・ネットワーク５との間で設定し、ＩＰアドレスを移動通信ネットワークから取得する。ここで、移動無線端末３と基地局装置２との間において、基本ベアラは無線により設定される論理チャネル上で伝送される。
【００１６】
通信装置１は、ＩＰプロトコルにより通信するＩＰネットワーク４経由で基地局装置２と接続する。なお、ＩＰネットワーク４と通信装置１との接続には、例えば、ＰＯＮ（Ｐａｓｓｉｖｅ  Ｏｐｔｉｃａｌ  Ｎｅｔｗｏｒｋ）、ＡＤＳＬ（Ａｓｙｍｍｅｔｒｉｃ  Ｄｉｇｉｔａｌ  Ｓｕｂｓｃｒｉｂｅｒ  Ｌｉｎｅ）、その他、光ファイバを使用した各種専用線やそれに類似した有線伝送システムを利用できる。本実施形態においては、光ライン終端装置（ＯＬＴ）８を含むＰＯＮを用いるものとする。したがって、通信装置１は、ＯＬＴ８と接続する光回線終端装置（ＯＮＵ）を含んでいる。しかしながら、本発明は他の有線伝送システムを使用することができる。
【００１７】
ＩＰネットワーク４は、ＩＰパケットをトランスペアレントに転送するネットワークである。本実施形態において、通信装置１は、基地局装置２との間で、ＩＰネットワーク４経由でセッションを確立し、このセッション上で、基地局装置２と通信装置１は、通信装置１とコア・ネットワーク５とを結ぶベアラを設定する。つまり、移動無線端末３と基地局装置２との間で無線により設定する論理チャネルに代えて、通信装置１と基地局装置２は、ＩＰネットワーク４経由のセッションを設定してベアラを搬送する。本実施形態においては、通信装置１と基地局装置２は、Ｌ２ＴＰ（Ｌａｙｅｒ  ２  Ｔｕｎｎｅｌｉｎｇ  Ｐｒｏｔｏｃｏｌ）に従うセッションを設定するものとする。また、ローカル・ゲートウェイ（Ｌ−ＧＷ）４は、オフロード・トラフィックのベアラの終端点であり、通信装置１からコア・ネットワーク５を経由することなくインターネット７と送受するトラフィックを処理する。つまり、通信装置１は、コア・ネットワーク５のＰ−ＧＷ（パケット・データ・ネットワーク・ゲートウェイ）に向かうベアラと、Ｌ−ＧＷ６に向かうベアラをそれぞれ設定し、情報の送信先に応じて使い分けることになる。
【００１８】
なお、本実施形態においてセッションを確立するとは、ベアラを伝送するために、通信装置１と基地局装置２が個々の通信を認識できる状態になることを意味する。また、以下の説明では、Ｌ２ＴＰの用語に従い、コネクションとセッションを区別して使用する。しかしながら、本実施形態におけるセッションをコネクションと呼ぶ場合もあり、セッションとの用語との異同のみで本発明の範囲は定義されない。
【００１９】
図２は、本実施形態における概略的なプロトコル構成図である。通信装置１及び基地局装置２の物理レイヤは、ＩＰネットワーク４の物理レイヤでそれぞれ終端される。つまり、通信装置１及び基地局装置２の物理レイヤは、同じである必要はない。ＩＰネットワーク４は、ＩＰパケットをトランスペアレントに転送し、よって、通信装置１及び基地局装置２のＩＰレイヤは相互に通信を行うことになる。通信装置１及び基地局装置２のＬ２ＴＰレイヤは、ＲＦＣ３９３１の規定に従いコネクションを設定し、設定したコネクションにセッションを設定する。通信装置１及び基地局装置２の無線プロトコル・レイヤは、セッションを利用してベアラを設定する。具体的には、本実施形態の無線プロトコル・レイヤは、ＬＴＥ規格に従う、ＲＬＣ（Ｒａｄｉｏ  Ｌｉｎｋ  Ｃｏｎｔｒｏｌ）及びＰＤＣＰ（Ｐａｃｋｅｔ  Ｄａｔａ  Ｃｏｎｖｅｒｇｅｎｃｅ  Ｐｒｏｔｏｃｏｌ）レイヤの機能を提供する。つまり、本実施形態においては、ＬＴＥ規格に従う、ＭＡＣ（Ｍｅｄｉａ  Ａｃｃｅｓｓ  Ｃｏｎｔｒｏｌ）及び物理レイヤの機能が、ＩＰネットワーク４とインタフェースする物理レイヤと、ＩＰレイヤ及びＬ２ＴＰレイヤに置き換えられる。しかしながら、それ以外のレイヤの通信についてはＬＴＥ規格に従い行われる。
【００２０】
また、通信装置１は、移動無線端末３と同様に、ＳＩＭ（Ｓｕｂｓｃｒｉｂｅｒ  Ｉｄｅｎｔｉｔｙ  Ｍｏｄｕｌｅ）を備えており、ＳＩＭには、移動通信事業者から割り当てられた識別子であるＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）及び認証のための秘密値が格納されている。つまり、通信装置１は、移動無線端末３と同じく、移動通信ネットワークに登録された通信装置であり、通信装置１は、移動無線端末３と同じく、ＳＩＭに格納されている情報に基づき移動通信ネットワークへのアタッチ処理を行い、基地局装置２経由でコア・ネットワーク５に至る基本ベアラを設定し、移動通信ネットワークからＩＰアドレスを取得する。以下、詳細に説明する。
【００２１】
まず、本実施形態において、ＯＬＴ８は、通信装置１の認証を行う。認証方法として、例えば、ＯＬＴ８に通信装置１のＭＡＣアドレスを保存しておき、通信装置１が送信するＭＡＣアドレスによりＯＬＴ８の認証を行うことができる。さらに、ＯＬＴ８に通信装置１の識別子及びパスワード等の認証情報を保存しておき、この認証情報を通信装置１がＯＬＴ８に送信することで認証を行うことができる。なお、ＯＬＴ８に認証情報を保存するのではなく、ＲＡＤＩＵＳサーバに保存し、ＯＬＴ８が、通信装置１から取得した認証情報をＲＡＤＩＵＳサーバに送信することで認証を行うこともできる。さらに、１つの認証方法ではなく複数の認証を使用することもできる。
【００２２】
続いて、ＯＬＴ８が通信装置１の認証を行った後の処理について図３を用いて説明する。通信装置１は、Ｓ１において基地局装置２との間で第１のＬ２ＴＰコネクションを確立する。具体的には、通信装置１がコネクションの要求メッセージを基地局装置２に送信し、基地局装置２が応答メッセージを通信装置１に送信し、通信装置１が接続メッセージを基地局装置２に送信することで、コネクションが確立される。続いて、Ｓ２において、通信装置１は、基地局装置２との間で確立した第１のＬ２ＴＰコネクション上に第１のセッションを確立する。具体的には、通信装置１がセッションの要求メッセージを基地局装置２に送信し、基地局装置２が応答メッセージを通信装置１に送信し、通信装置１が接続メッセージを基地局装置２に送信することで第１のセッションが確立される。なお各セッションは、Ｌ２ＴＰコネクションとセッション識別子の組により区別される。
【００２３】
通信装置１は、Ｓ３において、基地局装置２に対してアタッチ要求メッセージを送信し、これをトリガとして、通信装置１から基地局装置２を経由してコア・ネットワーク５に至る第１のベアラが第１のセッション上に設定される。より具体的には、ＰＤＮコネクシションを確立し、確立したＰＤＮコネクション上に第１のベアラを設定する。なお、Ｓ３における処理は、移動無線端末３が移動通信ネットワークにアタッチする際の処理と同じでありその詳細は省略するが、第１のベアラの接続先であるＡＰＮ（アクセス・ポイント名）は、コア・ネットワーク５のホーム加入者サーバに登録されている。なお、第１のセッションと、第１のベアラとの関係は、ベアラに対して割り当てられるベアラ識別子と、第１のセッションのセッション識別子を関係付けることにより通信装置１及び基地局装置２は認識する。また、Ｓ３のアタッチ処理においては、第１のベアラの設定に先立ち、通信装置１はＳＩＭに格納されたＩＭＳＩ及び秘密値を基地局装置２経由でコア・ネットワーク５に送信し、コア・ネットワーク５による認証を受ける。
【００２４】
以上の処理により、通信装置１から基地局装置２経由でコア・ネットワーク５に至るベアラが設定される。続いて、オフロード用のベアラの設定について説明する。
【００２５】
オフロード用のベアラについては、コア・ネットワーク５に至るベアラの設定後に続けて設定することも、例えば、オフロード用のデータが発生した時点で設定することもできる。いずれにしても、通信装置１は、オフロード用のベアラの設定が必要であると判断すると、Ｓ４において、基地局装置２との間で第２のＬ２ＴＰコネクションを確立する。具体的には、通信装置１がコネクションの要求メッセージを基地局装置２に送信し、基地局装置２が応答メッセージを通信装置１に送信し、通信装置１が接続メッセージを基地局装置２に送信することで、コネクションが確立される。なお、通信装置１は、このとき図４（Ａ）に示す様に、Ｌ２ＴＰ制御メッセージのホスト名ＡＶＰフィールドに、オフロード対象のベアラ用のＬ２ＴＰコネクションであることを示すＡＰＮの値を設定して、基地局装置２にオフロード用であることを通知する。
【００２６】
続いて、Ｓ５において、通信装置１は、基地局装置２との間で確立した第２のＬ２ＴＰコネクション上に第２のセッションを確立する。具体的には、通信装置１がセッションの要求メッセージを基地局装置２に送信し、基地局装置２が応答メッセージを通信装置１に送信し、通信装置１が接続メッセージを基地局装置２に送信することで第２のセッションが確立される。なお、各セッションは、Ｌ２ＴＰコネクションとセッション識別子の組により区別される。また、このとき、図４（Ｂ）に示すＬ２ＴＰの制御メッセージのＡｓｓｉｇｎｅｄ  Ｃｏｏｋｉｅ  ＡＶＰフィールドに通信装置１が、有線伝送システムに接続する固定端末であることを示す情報を含める。有線伝送システムに接続する固定端末であることを示す情報は、例えば、ＯＬＴ８がＯＮＵ９又は通信装置１を認証するために使用した、例えば、ＭＡＣアドレス等の認証情報とすることができる。この構成により、例えば、基地局装置２は、ＯＬＴ８又はＯＬＴ８が使用するＲＡＤＩＵＳサーバに取得した認証情報を使用して問い合わせを行い、通信装置１が、例えば、ＰＯＮに接続する固定端末であることを確認できる。
【００２７】
通信装置１は、基地局装置２とのオフロード用の第２のセッションを確立すると、Ｓ６において、ＰＤＮコネクション確立を要求するメッセージをＳ５で設定した第２のセッションを使用して基地局装置２に送信する。このとき、図４（Ｃ）に示すＬ２ＴＰのデータ・メッセージのクッキー・フィールドを使用して再度、認証情報を送信することができる。基地局装置２は、この場合、認証情報を使用して再度、通信装置１が移動無線端末ではないことを確認できる。
【００２８】
基地局装置２は、ＰＤＮコネクション確立を要求するメッセージの受信に応答して、Ｓ７で、ベアラ確立を要求するメッセージをＬ−ＧＷ６に送信する。なお、基地局装置２は、Ｓ５の処理により、第２のＬ２ＴＰコネクションがオフロード用であることを認識しているため、第２のＬ２ＴＰコネクションを使用するベアラをオフロード用と認識できる。つまり、Ｌ−ＧＷ６に送信すべきものと認識できる。なお、ベアラ確立を要求するメッセージには、例えば、ＯＮＵ９のＭＡＣアドレスや、ＯＮＵ９の認証情報と、オフロードであることを示すＡＰＮを含める。Ｌ−ＧＷ６は、ベアラ確立を要求するメッセージを受信すると、含まれるＡＰＮからオフロード用のベアラであることを確認し、通信装置１に割り当てるＩＰアドレスを選択し、選択したＩＰアドレスを含むベアラ確立応答メッセージをＳ８で基地局装置２に送信する。
【００２９】
基地局装置２はベアラ確立応答メッセージを受信すると、Ｓ９で、ベアラ確立応答メッセージに含まれるＩＰアドレスを取出して保存し、通信装置１にＰＤＮコネクションが確立したことを示すＰＤＮコネクション確立応答メッセージを送信する。通信装置１は、ＰＤＮコネクション確立応答メッセージを受信すると、受信確認のため、Ｓ１０においてＰＤＮコネクション確立確認メッセージを基地局装置２に送信する。この処理により、通信装置１からＬ−ＧＷに至るオフロード用のＰＤＮコネクションと、当該ＰＤＮコネクション上のベアラが設定される。その後、例えば、通信装置１は、ＤＨＣＰ等により基地局装置２にＩＰアドレスの割当を要求し、基地局装置２は、Ｓ８でＬ−ＧＷ６から取得したＩＰアドレスを通信装置１に割り当てる。なお、例えば、Ｓ９のＰＤＮコネクション確立応答メッセージに割り当てるＩＰアドレスを含めても良い。
【００３０】
以上の構成により通信装置１は、移動無線端末３と同様に基地局装置２経由でベアラを設定し、移動通信ネットワークによるサービスを受けることができる。さらに、移動通信ネットワークのコア・ネットワーク５を経由することなく、インターネット７等にオフロードさせるベアラを設定することができる。なお、通常の移動無線端末３に実装する移動通信ネットワークとの通信に関する機能と、通信装置１に実装する移動通信ネットワークとの通信に関する機能との差は、物理レイヤとＭＡＣレイヤのみであり、それ以外の部分は、通常の移動端末３に実装する機能をそのまま使用できる。よって、フェムト・セル・アクセス・ポイントの様な複雑な機能を必要とせず、安価に通信装置１を構成できる。同様に、基地局装置２の機能追加も安価に可能である。
【００３１】
特に、上記構成により、基地局装置２は、設定されたオフロード用ベアラを使用するのが有線伝送システム経由でアクセスする通信装置１であることを認識できる。この場合、無線リソース等を節約するために無線リソース等の解放を行う既存のＬＴＥのプロトコルを通信装置１からＬ−ＧＷ６に至るオフロード用ベアラに適用する理由はなくなる。つまり、コア・ネットワーク５は、上記オフロード用ベアラに関する情報を保持する必要がなく、よって、基地局装置２は、オフロード用ベアラの設定をコア・ネットワーク５に通知しない。つまり、上記オフロード用ベアラの制御のためにコア・ネットワーク５は基地局装置２と通信せず、したがって、コア・ネットワーク５の負荷を増加させることがない。なお、コア・ネットワーク５に至るベアラの設定については、コア・ネットワーク５に通知する必要があるため、既存のＬＴＥのプロトコルの動作に従うことになる。つまり、通信装置１からコア・ネットワークに至る区間、つまり、Ｓ−ＧＷ（サービング・ゲートウェイ）までの区間は、トラフィック量に応じて解放されることになる。しかしながら、コア・ネットワーク５に至るベアラも、オフロード用のベアラと同様、トラフィック量に拘らず、常に、確保しておく構成とすることもできる。この場合、例えば、基地局装置２は、リソースの解放の必要がないオフロード用ベアラの設定であることをコア・ネットワーク５に通知する。
【００３２】
なお、通信装置１は、それ自体が通信端末であっても、他の通信装置との通信を中継する装置であっても、それら両方の機能を有するものであっても良い。例えば、通信装置１は、有線ＬＡＮやＵＳＢといった有線インタフェースや、無線ＬＡＮ等の無線インタフェース等で、他のデスクトップ型、ラップトップ型、タブレット型等のパーソナル・コンピュータや、その他の通信端末との間で情報を送受するものであっても良い。通信装置１は、移動通信事業者の認証を受けて移動通信ネットワークにアタッチしているため、通信装置１経由で通信するコンピュータ等は、移動無線端末３と同等のサービスを受けることが可能になる。具体的には、例えば、通信装置１と通信するコンピュータ等は、移動通信事業者が通信装置１に対して提供するメール・サービスにおいて通信装置１に送信されたメールを、通信装置１経由で受信することができる。また、通信装置１と通信するコンピュータからの操作によりネットワーク上のウェブサイトで購入した商品の代金等を、通信装置１に対する通信料金と共に通信事業者が請求する様にすることができ、クレジット番号の入力等を省略することができる。
【００３３】
なお、上述した実施形態においては、Ｌ２ＴＰプロトコルを使用していたが、他のトンネリング・プロトコル等、ＩＰネットワーク上で任意の情報を伝送する任意のプロトコルを使用することができる。また、なお、上述した実施形態において、通信装置１は、ＩＰネットワーク４経由で基地局装置２と接続していたが、ＩＰパケットがトランスペアレントに伝送されるのであれば、ＶＬＡＮ（Ｖｉｒｔｕａｌ  ＬＡＮ）等の他のパケット交換ネットワークであっても良い。
【図１】
0005775017.tif 000002
【図２】
0005775017.tif 000003
【図３】
0005775017.tif 000004
【図４】
0005775017.tif 000005